(57)【要約】【課題】碍子から架空電線が脱落する兆候を地上から確認できるようにする。【解決手段】碍子１０１の縮径部１０４にバインド線１０５が有する円弧状の碍子係合部１０７を巻き掛け、碍子１０１の縮径部１０４に架空電線１０２を嵌め込み、バインド線１０５が有する碍子係合部１０７の両側から螺旋状に延出する一対の電線保持部１０８を架空電線１０２に巻き付けるに際して、電線保持部１０８の一巻目の部分（移動位置ＭＰ）と架空電線１０２との間に、その一対の移動位置ＭＰが互いに離反することで引っ張られて破断する被覆１０９に当該被覆１０９の破断に伴い露出する識別部１１０が収納されて形成された判別体１０６を挟み込んで固定する。【選択図】図１
2009259676.tif 000002
【特許請求の範囲】
【請求項１】
碍子の縮径部に巻き掛ける円弧状の碍子係合部とその両側から螺旋状に延出して架空電線に巻き付ける一対の電線保持部とを有するバインド線と、
前記碍子係合部に連絡する前記電線保持部の一対の一巻目の部分にそれぞれ固定され、当該一対の一巻目の位置が離反することによって破断する被覆に当該被覆の破断に伴い露出する識別部が収納されて形成された判別体と、
を備える、電線支持具。
【請求項２】
前記判別体は、前記架空電線と共に前記電線保持部の一巻目の部分に巻き込まれて当該電線保持部に固定される、請求項１記載の電線支持具。
【請求項３】
前記識別部は、前記被覆と相違する色の部材によって形成されている、請求項１又は２記載の電線支持具。
【請求項４】
前記識別部は、飛散可能な着色剤によって形成されている、請求項１又は２記載の電線支持具。
【請求項５】
前記識別部は、前記被覆の破断によって飛び出す複数本の紐状部材によって形成されている、請求項１又は２記載の電線支持具。
【請求項６】
碍子の縮径部にバインド線が有する円弧状の碍子係合部を巻き掛ける工程と、
前記碍子の縮径部に架空電線を嵌め込み、前記バインド線が有する前記碍子係合部の両側から螺旋状に延出する一対の電線保持部を前記架空電線に巻き付ける工程と、
前記電線保持部を前記架空電線に巻き付けるに際して、その電線保持部の一巻目の部分と前記架空電線との間に、前記電線保持部の一対の一巻目の位置が離反することによって破断する被覆に当該被覆の破断に伴い露出する識別部が収納されて形成された判別体を挟み込んで固定する工程と、
を備える電線支持具による架空電線の支持方法。
【発明の詳細な説明】
【技術分野】
【０００１】
本発明は、碍子に架空電線を支持させるために、碍子と架空電線とを一体に連列固定するための電線支持具及びこの電線支持具による架空電線の支持方法に関する。
【背景技術】
【０００２】
架空電線を碍子に固定する従来手法としては、電線巻付けバインドによって碍子と架空電線とを一体的に緊縛して固定する手法が一般的である。このような電線巻付けバインドは、例えば特許文献１に記載されているように、碍子に係合する円弧形状を有する碍子係合部（特許文献１では円弧部）の両端に、電線に巻き付かせる螺旋状をした一対の電線保持部（特許文献１では螺旋部）を一体に延出させた構造を有している。
【０００３】
図１１は、従来の一例として、碍子に架空電線が電線巻付けバインドによって緊縛固定されている状態を示す斜視図、図１２はその平面図である。碍子１１は縮径部１２を有し、架空電線１３はその縮径部１２に嵌合している。この状態で、巻付けバインドを構成するバインド線１４は、その碍子係合部１５を縮径部１２に巻きかけた状態で一対の電線保持部１６を架空電線１３に巻き付かせ、これによって碍子１１と架空電線１３とを一体的に緊縛して固定している。
【０００４】
ところが、電線巻付けバインドで碍子に強固に固定されているかのように見える架空電線は、時間の経過に伴い碍子から脱落してしまうことがある。その主な原因として考えられるのは風である。つまり、架空電線が風に煽られて揺れ、碍子との固定部分に強い力が加わることによって電線巻付けバインドが緩み、これが碍子からの架空電線の脱落につながる。このため、このような架空電線の脱落事故は、強風地帯ではそうでない地域に比べてより高い頻度に発生する。
【０００５】
特許文献２に記載されているのは、そのような架空電線の脱落事故を防止するための一案である。つまり、バインド線において、碍子に係合させる碍子係合部を環状に形成することで、碍子に対する巻き掛け領域を拡大し、これによって碍子からの架空電線の脱落を防止するようにしている。
【０００６】
【特許文献１】特開２００６−２２８５６０号公報
【特許文献２】特開２００７−１２８７５３号公報
【発明の開示】
【発明が解決しようとする課題】
【０００７】
碍子から架空電線が脱落してしまうと、短絡事故や地絡事故が発生する可能性が生ずる。このため、電力事業者としては、碍子からの架空電線の脱落を監視する監視体制を取らざるを得ない。この場合、碍子からの架空電線の脱落は、即、短絡事項や地絡事故を引き起こす可能性があるため、本音を言えば、脱落前にその兆候を知りたい。しかしながら、碍子から架空電線が脱落しそうであるという事実は、作業者がその近くに寄って確認しなければならないので、容易いことではない。
【０００８】
この点、特許文献２は、碍子から架空電線を脱落しにくくする技術を提供している。これに対して、本願発明の発明者は、碍子からの架空電線の脱落を容易に判別できるようにする技術について鋭意研究を進め、その成果を得た。
【０００９】
本発明の目的は、碍子から架空電線が脱落する兆候を地上から確認できるようにすることである。
【課題を解決するための手段】
【００１０】
本発明の電線支持具は、碍子の縮径部に巻き掛ける円弧状の碍子係合部とその両側から螺旋状に延出して架空電線に巻き付ける一対の電線保持部とを有するバインド線と、前記碍子係合部に連絡する前記電線保持部の一対の一巻目の部分にそれぞれ固定され、当該一対の一巻目の位置が離反することによって破断する被覆に当該被覆の破断に伴い露出する識別部が収納されて形成された判別体と、を備える。
【００１１】
ここで、前記判別体は、一例として、前記架空電線と共に前記電線保持部の一巻目の部分に巻き込まれて当該電線保持部に固定される（請求項２）。
【００１２】
また、前記識別部は、一例として、前記被覆と相違する色の部材によって形成されており（請求項３）、別の一例として、飛散可能な着色剤によって形成されており（請求項４）、更に別の一例として、前記被覆の破断によって飛び出す複数本の紐状部材によって形成されている。
【００１３】
本発明の電線支持具による架空電線の支持方法は、碍子の縮径部にバインド線が有する円弧状の碍子係合部を巻き掛ける工程と、前記碍子の縮径部に架空電線を嵌め込み、前記バインド線が有する前記碍子係合部の両側から螺旋状に延出する一対の電線保持部を前記架空電線に巻き付ける工程と、前記電線保持部を前記架空電線に巻き付けるに際して、その電線保持部の一巻目の部分と前記架空電線との間に、前記電線保持部の一対の一巻目の位置が離反することによって破断する被覆に当該被覆の破断に伴い露出する識別部が収納されて形成された判別体を挟み込んで固定する工程と、を備える。
【発明の効果】
【００１４】
本発明によれば、碍子から架空電線が脱落する前に生ずる現象であるバインド線の電線保持部における一対の一巻目の部分の離反に伴い判別体の被覆が破断し、これによって被覆に収納されていた識別部が露出することから、碍子から架空電線が脱落する兆候を地上から確認することができ、碍子からの架空電線の脱落事故を未然に防止することができる。
【発明を実施するための最良の形態】
【００１５】
本発明の実施の形態を図１ないし図１０に基づいて説明する。
【００１６】
図１は、碍子１０１に架空電線１０２が電線支持具１０３によって固定されている状態の一例を示す上方から見た斜視図である。碍子１０１には、架空電線１０２の固定用の縮径部１０４が形成されている。架空電線１０２は、その縮径部１０４に嵌め込まれて電線支持具１０３を構成するバインド線１０５によって緊縛固定されている。そして、バインド線１０５は、架空電線１０２と共に、電線支持具１０３を構成する判別体１０６を巻き込んで固定している。
【００１７】
図２は、バインド線１０５を示す平面図である。バインド線１０５は、一例として、亜鉛めっき鋼線等の金属線をポリエチレン等の樹脂製の被覆材で覆って形成されている。このようなバインド線１０５は、碍子係合部１０７と一対の電線保持部１０８とを有している。碍子係合部１０７は、バインド線１０５の略中央部に円弧状に屈曲させて形成されている。この碍子係合部１０７は、碍子１０１の縮径部１０４に巻き掛ける部分であり、故に、縮径部１０４と略同一の径となる円弧径で形成されている。一対の電線保持部１０８は、碍子係合部１０７の両端から連続する部分が螺旋状に屈曲されて形成されている。この電線保持部１０８は、架空電線１０２に巻き付く部分である。
【００１８】
本実施の形態では、一対の電線保持部１０８において、架空電線１０２に巻き付いた場合に一巻目となる部分が重要な意味を持つ。便宜上、この部分を移動位置ＭＰと呼ぶ。
【００１９】
図３は、架空電線１０２に対する碍子１０１の固定過程として、碍子１０１の縮径部１０４にバインド線１０５が有する碍子係合部１０７を巻き掛けた状態を示す上方から見た斜視図である。碍子１０１に架空電線１０２を固定するには、まず、図３に示すように、碍子１０１の縮径部１０４にバインド線１０５が有する円弧状の碍子係合部１０７を巻き掛ける。この際、図３に示すように、碍子１０１の縮径部１０４に対して架空電線１０２を嵌め込む側とは反対側から、縮径部１０４に碍子係合部１０７を巻き掛ける。
【００２０】
図４は、図３の次の工程を示す斜視図である。図４に示すように、図３に示す工程に続き、碍子１０１の縮径部１０４に架空電線１０２を嵌め込む。そして、バインド線１０５が有する碍子係合部１０７の両側に螺旋状に連続する一対の電線保持部１０８を、架空電線１０２に巻き付ける。図４は、バインド線１０５が有する一方の電線保持部１０８を架空電線１０２に巻き付けた状態を示している。
【００２１】
この際、重要なことは、電線保持部１０８を架空電線１０２に巻き付けるに際して、図４に示すように、判別体１０６と共に巻き付けるということである。図４では、架空電線１０２に既に巻き付けられている一方の電線保持部１０８が、判別体１０６の一端側を共に架空電線１０２に巻き付けている状態を示している。そこで、もう一方の電線保持部１０８を架空電線１０２に巻き付けるに際して、判別体１０６のもう一端側も共に架空電線１０２に巻き付ける。
【００２２】
図５は判別体１０６の固定状態を拡大して示す正面図、図６はその平面図、図７はその下方から見た斜視図である。図４に示すバインド線１０５の電線保持部１０８を判別体１０６と共に架空電線１０２に巻き付けるに際して重要なことは、判別体１０６の巻き付け固定位置である。図４に示すように、判別体１０６は、バインド線１０５の移動位置ＭＰでこのバインド線１０５によって架空電線１０２と共に巻き付けられて固定されていなければならない。図５〜図７を参照することで、判別体１０６がバインド線１０５の移動位置ＭＰで固定されていることが分かろう。
【００２３】
図４に示すバインド線１０５の電線保持部１０８を判別体１０６と共に架空電線１０２に巻き付けるに際して、もう一つ重要なことは、判別体１０６の両端部をバインド線１０５の移動位置ＭＰの部分に絡み付けるようにして屈曲させることである。これは、後述するようにバインド線１０５の移動位置ＭＰが離反する方向に互いに移動した際、バインド線１０５と判別体１０６の後述する被覆１０９（図８〜図１０参照）との間に滑りが生じずに、バインド線１０５の移動位置ＭＰの移動に伴って判別体１０６の被覆１０９も移動するようにするためである。
【００２４】
こうして、図１に示すように、バインド線１０５と判別体１０６とから構成されている電線支持具１０３が碍子１０１に架空電線１０２を緊縛固定している状態となる。この状態で、判別体１０６は、バインド線１０５の一対の移動位置ＭＰの位置でバインド線１０５に固定されている。このような判別体１０６は、被覆１０９の内部に識別部１１０を収納した構造となっている。つまり、被覆１０９は、一対の移動位置ＭＰが互いに離反することで引っ張られ、これによって破断する強度の材料によって形成されている。一例として、被覆１０９としては、耐水性を有するビニールや各種の樹脂を材料として形成されている。そして、識別部１１０は、被覆１０９が破断することによって外部に露出し、被覆１０９が破断したことを外部から識別させ得るように形成されている。以下、図８、図９及び図１０のそれぞれに、識別部１１０の異なる形態の例を示す。
【００２５】
図８（ａ）は判別体１０６の一例を示す縦断側面図、（ｂ）は被覆が破断した状態を示すその正面図である。図８に例示する判別体１０６は、伸縮性を有する伸縮ワイヤ１１１の外周面を、例えば赤色や黄色等のような目立つ色の塗料１１２で色付けして識別部１１０としている。被覆１０９は、塗料１１２を塗布された伸縮ワイヤ１１１の外周を被覆し、移動位置ＭＰが離反することで引っ張られて破断する。
【００２６】
伸縮ワイヤ１１１は、一例として、伸縮自在な樹脂を材料として形成されている。あるいは、複数本の繊維状態が撚って単一の伸縮ワイヤ１１１としてもよい。伸縮ワイヤ１１１に要求される性質は、ある程度の強度を持ちながらも、その長手方向に伸びるという性質である。つまり、伸縮ワイヤ１１１は、判別体１０６の心材を構成するものであるため、バインド線１０５の一対の移動位置ＭＰが互いに離反する方向に移動した場合には、長手方向に伸びなければならない。
【００２７】
塗料１１２としては、各種のペンキ等を用いることができる。もっとも、伸縮ワイヤ１１１の外周面に付加するのは塗料１１２に限らず、例えば絶縁テープ等の接着テープであってもよい。
【００２８】
図９（ａ）は判別体１０６の別の一例を示す縦断側面図、（ｂ）は被覆が破断した状態を示すその正面図である。図９に例示する判別体１０６は、伸縮性を有する伸縮ワイヤ１１１を被覆１０９で被覆するに際して、飛散可能な着色剤１１３を伸縮ワイヤ１１１と被覆１０９との間に充填することによって構成されている。
【００２９】
着色剤１１３は、被覆１０９が破断することによって飛散可能なものであれば、紛粒状のものであっても、流体であっても、半流動体であってもよい。但し、例えば赤色や黄色等のような目立つ色に着色されていることが望ましい。
【００３０】
図１０（ａ）は判別体１０６の更に別の一例を示す縦断側面図、（ｂ）は被覆が破断した状態を示すその正面図である。図１０に例示する判別体１０６は、伸縮性を有する伸縮ワイヤ１１１を被覆１０９で被覆するに際して、被覆１０９の破断によって飛び出す複数本の紐状部材１１４を伸縮ワイヤ１１１と被覆１０９との間に収納することによって構成されている。
【００３１】
紐状部材１１４は、小さく折り畳まれて被覆１０９の内部に収納され、被覆１０９が破断することによって外部に飛び出す仕組みである。このような紐状部材１１４は、被覆１０９が破断することによって飛び出すことができるものであれば、糸状のものであっても、帯状のものであってもよい。但し、例えば赤色や黄色等のような目立つ色に着色されていることが望ましい。
【００３２】
このような構成において、例えば図示しない電柱の側に固定された碍子１０１に緊縛固定されている架空電線１０２は、風に煽られると揺れる。架空電線１０２の揺れは、電線支持具１０３による碍子１０１との固定部分に強い力を与える。これにより、架空電線１０２に引っ張られたバインド線１０５が緩み、最終的には碍子１０１からの架空電線１０２の脱落を招く。
【００３３】
本出願の発明者は、碍子１０１からの架空電線１０２の脱落という現象を研究した結果、バインド線１０５が緩む場合、その一対の移動位置ＭＰが互いに離反する方向に移動するという知見を得た。そして、移動位置ＭＰが互いに離反する方向に移動した後は、バインド線１０５に塑性変形が生じ、バインド線１０５が元の形状に戻らないことも確かめた。その結果、一旦緩んだバインド線１０５はそのまま元に戻ることがなく、このようなバインド線１０５の塑性変形に基づく緩みは、徐々に進行して拡大し、最終的には架空電線１０２の脱落を引き起こす。
【００３４】
これに対して、本実施の形態の電線支持具１０３では、バインド線１０５において一対の移動位置ＭＰが互いに離反する方向に移動して緩む場合、判別体１０６が引っ張り力を受ける。そして、判別体１０６は、長さ方向に伸びる伸縮ワイヤ１１１を主要な構造体として構成されていることから、引っ張り力を受けるとその長さ方向に伸びる。そして、その伸び量がある一定値を超えると、被覆１０９が破断する。その結果、被覆１０９の破断位置より、識別部１１０が外部に露出する。つまり、図８に示す判別体１０６を用いた場合には、伸縮ワイヤ１１１の外周面に塗布された例えば赤色や黄色等の塗料１１２が外部に露出する。また、図９に示す判別体１０６を用いた場合には、例えば赤色や黄色等に着色された着色剤１１３が外部に飛散し、碍子１０１等に付着する。碍子１０１は白色であるので、これに赤色や黄色の着色剤１１３が付着すれば極めて目立つ状態となる。更に、図１０に示す判別体１０６を用いた場合には、例えば赤色や黄色等に着色された紐状部材１１４が飛び出して垂れ下がる。紐状部材１１４は、風に吹かれて空中を舞い、より一層目立つ状態となる。このようなことから、図８、図９、図１０にそれぞれ示すいずれの判別体１０６を用いた場合であっても、被覆１０９が破断して識別部１１０が外部に露出すれば、この識別部１１０を地上から容易に視認することが可能となる。したがって、碍子１０１から架空電線１０２が脱落する兆候を地上から確認することができ、碍子１０１からの架空電線１０２の脱落事故を未然に防止することができる。
【図面の簡単な説明】
【００３５】
【図１】本発明の実施の形態として、碍子に架空電線が電線支持具によって固定されている状態の一例を示す上方から見た斜視図である。
【図２】バインド線を示す平面図である。
【図３】架空電線に対する碍子の固定過程として、碍子の縮径部にバインド線が有する碍子係合部を巻き掛けた状態を示す上方から見た斜視図である。
【図４】架空電線に対する碍子の固定過程として、碍子の縮径部に架空電線を嵌め込んだ後、バインド線が有する一方の電線保持部を判別体の一端側と共に架空電線に巻き付けた状態を示す上方から見た斜視図である。
【図５】判別体の固定状態を拡大して示す正面図である。
【図６】判別体の固定状態を拡大して示す平面図である。
【図７】判別体の固定状態を拡大して示す下方から見た斜視図である。
【図８】（ａ）は判別体の一例を示す縦断側面図、（ｂ）は被覆が破断した状態を示すその正面図である。
【図９】（ａ）は判別体の別の一例を示す縦断側面図、（ｂ）は被覆が破断した状態を示すその正面図である。
【図１０】（ａ）は判別体の更に別の一例を示す縦断側面図、（ｂ）は被覆が破断した状態を示すその正面図である。
【図１１】従来の一例として、碍子に電線が電線巻付けバインドによって緊縛固定されている状態を示す斜視図である。
【図１２】図１１に示す電線巻付けバインドの平面図である。
【符号の説明】
【００３６】
１０１  碍子
１０２  架空電線
１０４  縮径部
１０５  バインド線
１０６  判別体
１０７  碍子係合部
１０８  電線保持部
１０９  被覆
１１０  識別部
１１３  着色剤
１１４  紐状部材
【図１】
2009259676.tif 000003
【図２】
2009259676.tif 000004
【図３】
2009259676.tif 000005
【図４】
2009259676.tif 000006
【図５】
2009259676.tif 000007
【図６】
2009259676.tif 000008
【図７】
2009259676.tif 000009
【図８】
2009259676.tif 000010
【図９】
2009259676.tif 000011
【図１０】
2009259676.tif 000012
【図１１】
2009259676.tif 000013
【図１２】
2009259676.tif 000014